(57)【要約】【課題】電線をコネクタ端子に接続する接続作業をより簡易化できるコネクタ端子を提供すること。【解決手段】コネクタハウジングに取付けられるコネクタ端子５は、電線の芯線と電気的に接続する電線接続部２０を含む端子本体部１０と、電線接続部２０に装着され、電線接続部２０を覆うカバー部３０と、を備える。電線接続部２０は、カバー部３０を係止する係止部（２４、２５）を有しする。カバー部３０は、係止部（２４、２５）と係合してカバー部３０を電線接続部２０に係止させる係合部３３と、係合部３３が係止部（２４、２５）に係合した状態において、電線の芯線を電線接続部２０との間に挟み込み押圧する押圧部３４と、を含む。【選択図】図１
2019079674.tif 000002
【特許請求の範囲】
【請求項１】
コネクタハウジングに取付けられるコネクタ端子であって、
電線の芯線と電気的に接続する電線接続部を含む端子本体部と、
前記電線接続部に装着され、前記電線接続部を覆うカバー部と、を備え、
前記電線接続部は、前記カバー部を係止する係止部を有し、
前記カバー部は、
前記係止部と係合して前記カバー部を前記電線接続部に係止させる係合部と、
前記係合部が前記係止部に係合した状態において、前記電線の前記芯線を前記電線接続部との間に挟み込み押圧する押圧部と、を含む、コネクタ端子。
【請求項２】
請求項１に記載のコネクタ端子において、
前記押圧部は、前記カバー部を前記電線接続部に装着する際に前記芯線を湾曲させて凸部を形成し、前記凸部を前記電線接続部に押圧する押圧凸状部を有する、コネクタ端子。
【請求項３】
請求項２に記載のコネクタ端子において、
前記カバー部は、前記押圧凸状部が前記芯線を湾曲させる際における前記押圧凸状部の変形を規制する変形規制部を有する、コネクタ端子。
【請求項４】
請求項１から請求項３の何れか一項に記載のコネクタ端子において、
前記電線接続部は、
底部と、
前記底部の両縁部から直立して対向する一対の壁部と、を有し、
前記押圧部は、前記芯線を当該押圧部と前記電線接続部の前記底部との間に挟み込み押圧する、コネクタ端子。
【請求項５】
請求項４に記載のコネクタ端子において、
前記電線接続部の前記底部は、前記カバー部の前記押圧部と対向する位置に、前記押圧部側に隆起する隆起部を有する、コネクタ端子。
【請求項６】
請求項４または請求項５に記載のコネクタ端子において、
前記一対の壁部は、それぞれ、前記カバー部が前記電線接続部に装着される際に前記芯線を保持する保持部を有する、コネクタ端子。
【請求項７】
請求項６に記載のコネクタ端子において、
前記保持部は、前記一対の壁部間において相対的にずれた位置に形成されている、コネクタ端子。
【請求項８】
請求項６または請求項７に記載のコネクタ端子において、
前記保持部は、角部を有する板状の形状を有し、
前記保持部は、前記角部によって前記芯線を保持する、コネクタ端子。
【請求項９】
請求項１から請求項８のいずれか一項に記載のコネクタ端子において、
前記電線接続部は、前記芯線との電気的接続をチェックするためのチェック部を有し、
前記カバー部は、前記チェック部を露出させるための窓部を有する、コネクタ端子。
【請求項１０】
請求項１から請求項９のいずれか一項に記載のコネクタ端子において、
前記端子本体部は、前記電線接続部と一体形成され相手側コネクタ端子に接続される端子接続部を含み、
前記電線接続部は、前記カバー部が当該電線接続部に装着された状態において、前記端子接続部と前記カバー部との間に、前記芯線の有無を検知するための開口部を有する、コネクタ端子。
【請求項１１】
請求項１から請求項１０のいずれか一項に記載のコネクタ端子において、
前記電線は、前記芯線を覆う被覆部を含む被覆電線であり、
前記電線接続部および前記カバー部の少なくとも一方は、前記被覆部を挟持する挟持部を有する、コネクタ端子。
【請求項１２】
請求項１から請求項１１のいずれか一項に記載のコネクタ端子と、
前記コネクタ端子が挿入されるコネクタハウジングと、を備えたコネクタ。
【請求項１３】
請求項１２に記載のコネクタにおいて、
前記コネクタハウジングに装着され、前記電線が挿入される電線挿入口を有するリアホルダを備え、
前記リアホルダは、前記電線挿入口に向けてテーパ状に広がる電線挿入孔を有する、コネクタ。
【発明の詳細な説明】
【技術分野】
【０００１】
本明細書に開示される技術は、コネクタ端子および当該コネクタ端子を備えたコネクタに関し、詳しくは、電線の芯線をコネクタ端子に電気的に接続させる技術に関する。
【背景技術】
【０００２】
従来、上記接続技術としては、例えば、特許文献１に記載のものが知られている。特許文献１には、コネクタ端子(端子)がワイヤーバレル部とインシュレーションバレル部を備え、ワイヤーバレル部を被覆電線の芯線に圧着し、インシュレーションバレル部を被覆電線の被覆に圧着する技術が開示されている。
【先行技術文献】
【特許文献】
【０００３】
【特許文献１】特開２０１３−６２１０３号公報
【発明の概要】
【発明が解決しようとする課題】
【０００４】
しかしながら、上記特許文献１においては、電線をコネクタ端子に接続する接続作業において、それぞれのバレル部を、圧着治具を用いて圧着する工程が必要であった。そのため、電線をコネクタ端子に接続する接続作業をより簡易化できるコネクタ端子が所望されていた。
【０００５】
そこで、本明細書に開示される技術は、電線をコネクタ端子に接続する接続作業をより簡易化できるコネクタ端子、および当該コネクタ端子を備えたコネクタを提供する。
【課題を解決するための手段】
【０００６】
本明細書に開示されるコネクタ端子は、コネクタハウジングに取付けられるコネクタ端子であって、電線の芯線と電気的に接続する電線接続部を含む端子本体部と、前記電線接続部に装着され、前記電線接続部を覆うカバー部と、を備え、前記電線接続部は、前記カバー部を係止する係止部を有し、前記カバー部は、前記係止部と係合して前記カバー部を前記電線接続部に係止させる係合部と、前記係合部が前記係止部に係合した状態において、前記電線の前記芯線を前記電線接続部との間に挟み込み押圧する押圧部と、を含む。
本構成によれば、カバー部の押圧部は、係合部が係止部に係合した状態において、電線の芯線を電線接続部との間に挟み込み押圧する。その際、電線の芯線は押圧部によって電線接続部に押圧され、それによって、電線の芯線を電線接続部に電気的に接続させることができる。そのため、単にカバー部を電線接続部に取付けることによって、電線の芯線をコネクタ端子に電気的に接続させることができる。それによって、電線をコネクタ端子に接続する接続作業をより簡易化できる。
【０００７】
上記コネクタ端子において、前記押圧部は、前記カバー部を前記電線接続部に装着する際に前記芯線を湾曲させて凸部を形成し、前記凸部を前記電線接続部に押圧する押圧凸状部を有するようにしてもよい。
本構成によれば、押圧凸状部によって湾曲された芯線の凸部が電線接続部に押圧されて接続される。その際、押圧力を芯線の凸部に集中させることができ、それによって、芯線と電線接続部との接続をより強固にできる。
【０００８】
また、上記コネクタ端子において、前記電線接続部は、底部と、前記底部の両縁部から直立して対向する一対の壁部と、を有し、前記押圧部は、前記芯線を当該押圧部と前記電線接続部の前記底部との間に挟み込み押圧するようにしてもよい。
本構成によれば、芯線は、押圧部と電線接続部の底部との間に挟み込まれ、押圧される。そのため、芯線を押圧して電線接続部に接続する作業が、カバー部を電線接続部に上方から装着する作業によって、容易に行える。
【０００９】
また、上記コネクタ端子において、前記電線接続部の前記底部は、前記カバー部の前記押圧部と対向する位置に、前記押圧部側に隆起する隆起部を有するようにしてもよい。
本構成によれば、芯線はカバー部の押圧部と電線接続部の隆起部と間に挟み込み押圧される。そのため、芯線と電線接続部との接続をより確実かつ強固にできる。
【００１０】
また、上記コネクタ端子において、前記一対の壁部は、それぞれ、前記カバー部が前記電線接続部に装着される際に前記芯線を保持する保持部を有するようにしてもよい。
本構成によれば、カバー部が電線接続部に装着され芯線が電線接続部に押圧される際に、保持部によって芯線が保持される。そのため、押圧作業が安定化される。
【００１１】
また、上記コネクタ端子において、前記保持部は、前記一対の壁部間において相対的にずれた位置に形成されているようにしてもよい。
本構成によれば、芯線が異なる位置において保持部によって保持される。そのため、保持部によって芯線をより安定して保持することができる。
【００１２】
また、上記コネクタ端子において、前記保持部は、角部を有する板状の形状を有し、前記保持部は、前記角部によって前記芯線を保持するようにしてもよい。
本構成によれば、芯線は保持部の角部によってされるため、芯線をより強固に保持することができる。
【００１３】
また、上記コネクタ端子において、前記カバー部は、前記押圧凸状部が前記芯線を湾曲させる際における前記押圧凸状部の変形を規制する変形規制部を有するようにしてもよい。
本構成によれば、押圧凸状部が芯線を湾曲させる際における押圧凸状部の変形を変形規制部によって抑制することができる。それによって、押圧凸状部による芯線の押圧動作を確実に行うことができる。
【００１４】
また、上記コネクタ端子において、前記電線接続部は、前記芯線との電気的接続をチェックするためのチェック部を有し、前記カバー部は、前記チェック部を露出させるための窓部を有するようにしてもよい。
本構成によれば、電線接続部と芯線との電気的接続のチェックを、カバー部の窓部を介して容易に行うことができる。
【００１５】
また、上記コネクタ端子において、前記端子本体部は、前記電線接続部と一体形成され相手側コネクタ端子に接続される端子接続部を含み、前記電線接続部は、前記カバー部が当該電線接続部に装着された状態において、前記端子接続部と前記カバー部との間に、前記芯線の有無を検知するための開口部を有するようにしてもよい。
本構成によれば、カバー部が電線接続部に装着された状態において、開口部を介して、芯線が、すなわち電線が電線接続部の所定の位置まで挿入されているかどうかのチェックを行える。
【００１６】
また、上記コネクタ端子において、前記電線は、前記芯線を覆う被覆部を含む被覆電線であり、前記電線接続部および前記カバー部の少なくとも一方は、前記被覆部を挟持する挟持部を有するようにしてもよい。
本構成によれば、電線を、被覆部を含めてカバー部が装着された電線接続部に配置することができる。
【００１７】
また、本明細書に開示されるコネクタは、上記いずれかに記載のコネクタ端子と、前記コネクタ端子が挿入されるコネクタハウジングと、を備える。
本構成によれば、電線を接続する接続作業をより簡易化できるコネクタ端子を備える。それは、コネクタの製造作業が簡易化につながる。
【００１８】
上記コネクタにおいて、前記コネクタハウジングに装着され、前記電線が挿入される電線挿入口を有するリアホルダを備え、前記リアホルダは、前記電線挿入口に向けてテーパ状に広がる電線挿入孔を有するようにしてもよい。
本構成によれば、電線挿入孔は電線挿入口に向けてテーパ状に広がる形状を有する。そのため、電線を、リアホルダを介してコネクタ端子に挿入する作業が容易となる。
【発明の効果】
【００１９】
本明細書に開示されるコネクタ端子によれば、電線をコネクタ端子に接続する接続作業をより簡易化できる。
【図面の簡単な説明】
【００２０】
【図１】実施形態に係るコネクタ端子を示す斜視図
【図２】コネクタ端子の端子本体部を示す斜視図
【図３】端子本体部の平面図
【図４】図３における矢線Ａで示す方向から見た端子本体部の断面図
【図５】図４における矢線Ｂで示す方向から見た端子本体部の電線接続部の断面図
【図６】コネクタ端子のカバー部を示す斜視図
【図７】カバー部を示す側面図
【図８】コネクタのコネクタハウジングを示す斜視図
【図９】コネクタハウジングの平面図
【図１０】図９における矢線Ｃで示す方向から見たコネクタ端子を含むコネクタハウジングの断面図
【図１１】コネクタハウジングにリアホルダが取り付けられた状態を示す斜視図
【図１２】コネクタハウジングにリアホルダが取り付けられた状態を示す平面図
【図１３】図１２における矢線Ｄで示す方向から見たコネクタ端子および電線を含む断面図
【図１４】図１３においてカバー部が押圧された状態を示す断面図
【図１５】コネクタ端子の別の実施形態に係る断面図
【発明を実施するための形態】
【００２１】
＜実施形態＞
実施形態を図１から図１４を参照しつつ説明する。実施形態に係るコネクタ端子５は、コネクタ１００のコネクタハウジング５０に取付けられる（図８参照）。なお、以下において、図１の矢印Ｘの方向をコネクタ端子５の軸方向、矢印Ｙの方向をコネクタ端子５の幅方向、矢印Ｚの方向をコネクタ端子５の上下方向とする。
【００２２】
１．コネクタ端子の構成
実施形態に係るコネクタ端子５は、例えば、雌コネクタ端子であり、図１に示されるように、端子本体部１０とカバー部３０とを備える。なお、コネクタ端子５は雌コネクタ端子に限られず、雄コネクタ端子であってもよい。
【００２３】
１−１．端子本体部
端子本体部１０は、大きくは、図２に示されるように、電線接続部２０と端子接続部２８とを含み、例えば、打ち抜き加工、折り曲げ加工、およびプレス加工等によって、一枚の金属板材から形成される。
【００２４】
電線接続部２０は、図２に示されるように、底部２１と、底部２１の両縁部から上方に直立して対向する一対の壁部（２２Ａ、２２Ｂ）とを有し、電線７０の芯線７１に電気的に接続される（図１３参照）。電線７０は、芯線７１と被覆部７２を含む被覆電線である。各壁部（２２Ａ、２２Ｂ）には、カバー部３０との関係から切欠き部２２Ｋが形成されている。
【００２５】
底部２１は、後述するカバー部３０の押圧部３４と対向する位置に、押圧部側に隆起する隆起部２１Ａを有する。芯線７１は、カバー部３０の押圧部３４と隆起部２１Ａと間に挟み込み押圧される。そのため、隆起部２１Ａによって芯線７１と電線接続部２０との接続をより確実かつ強固にできる。なお、隆起部２１Ａは設けられていなくてもよい。
【００２６】
各壁部（２２Ａ、２２Ｂ）は、それぞれ、カバー部３０を係止する一対の係止部（２４、２５）を二か所に有する。各係止部（２４、２５）は、図２に示されるように、例えばプレス加工によって、壁の外側に突き出す円弧状の凸部として形成されている。なお、各係止部（２４、２５）の形状および構成は、図２に示されたものに限られない。
【００２７】
また、各壁部（２２Ａ、２２Ｂ）は、それぞれ、カバー部３０が電線接続部２０に装着される際に芯線７１を保持する保持部２６を二か所に有する。各保持部２６は、図２に示されるように、例えば打ち抜き加工によって壁部（２２Ａ、２２Ｂ）の一部が壁の内側に突き出す板状部として形成されている。すなわち、保持部２６は、角部２６Ａを有する板状の形状を有し、角部２６Ａによって芯線を保持する（図４および図１４参照）。このように、本実施形態では、芯線７１の保持は板状保持部２６の角部（エッジ部）２６Ａによってされるため、角部２６Ａが芯線７１に食い込み、芯線７１をより強固に保持することができる。
【００２８】
また、保持部２６は、図３に示されるように、一対の壁部（２２Ａ、２２Ｂ）間において相対的にずれた位置に形成されている。すなわち、一対の壁部（２２Ａ、２２Ｂ）間において、芯線７１が異なる位置において保持部２６によって保持される。そのため、保持部２６によって芯線７１をより安定して保持することができる。
【００２９】
また、電線接続部２０は、芯線７１との電気的接続をチェックするためのチェック部２３を有する。チェック部２３は、図２に示されるように、壁部２２Ａから壁部２２Ｂに向けて突出するように形成されている。チェック部２３によって、電線接続部２０と芯線７１との電気的接続（電気的導通）のチェックを、後述するカバー部３０の窓部３１Ａを介して容易に行うことができる。
【００３０】
また、電線接続部２０は、カバー部３０が電線接続部２０に装着された状態において、端子接続部２８とカバー部３０との間に、芯線７１の有無を検知するための開口部２９を有する。カバー部３０が電線接続部２０に装着された状態において、開口部２９を介して、芯線７１が、すなわち電線７０が電線接続部２０の所定の位置まで挿入されているかどうかのチェックを行える。なお、このチェックは、後述するように、コネクタ端子５がコネクタハウジング５０に挿入された後においても可能である（図９参照）。
【００３１】
端子接続部２８は、電線接続部２０と一体形成され、相手側コネクタ端子である雄コネクタ端子（図示せず）に接続される。端子接続部２８は、挿入孔２８Ａおよび係止突起２８Ｂを含む。挿入孔２８Ａには、雄コネクタ端子の端子接続部が挿入される。係止突起２８Ｂは、コネクタハウジング５０の留め開口部５１に係合して端子本体部１０（コネクタ端子５）をコネクタハウジング５０に係止する。
【００３２】
１−２．カバー部
カバー部３０は、図６に示されるように、天井部３１と、天井部３１の両縁部から下方に直立して対向する一対の側壁部（３２Ａ、３２Ｂ）とを含む形状を有し、電線接続部２０を上方からカバーする。
【００３３】
また、カバー部３０は、図６および図７に示されるように、係合部３３と押圧部３４とを含み、端子本体部１０と同様に、例えば、打ち抜き加工、折り曲げ加工、およびプレス加工等によって、一枚の金属板材から形成される。
【００３４】
係合部３３は、図６に示されるように、各側壁部（３２Ａ、３２Ｂ）の軸方向（図１の矢印Ｘ方向）の両端部の上下二か所に形成されている。すなわち、各側壁部（３２Ａ、３２Ｂ）に４か所、合計８か所の係合部３３がカバー部３０に形成されている。上側の係合部３３は、電線接続部２０の上側の係止部２５に係合し、下側の係合部３３は、電線接続部２０の下側の係止部２４に係合する。本実施形態においては、各係合部３３は、打ち抜き形成された窓部によって構成されている。なお、係合部３３の構成は窓部に限られない。
【００３５】
押圧部３４は、係合部３３が係止部（２４、２５）に係合した状態において、電線７０の芯線７１を電線接続部２０、詳しくは、電線接続部２０の底部２１に形成された隆起部２１Ａとの間に挟み込み押圧する。
【００３６】
押圧部３４は、天井部３１からの連続する金属部材を折り曲げて形成された押圧凸状部３４Ａを有する（図１３等参照）。押圧凸状部３４Ａは、カバー部３０を電線接続部２０に装着する際に芯線７１を湾曲させて凸部７１Ａを形成し、凸部７１Ａを電線接続部２０、詳しくは、電線接続部２０の隆起部２１Ａに押圧する（図１４参照）。すなわち、本実施形態では、押圧凸状部３４Ａによって湾曲された芯線７１の凸部７１Ａが、電線接続部２０に押圧されて接続される。その際、押圧力を芯線の凸部７１Ａに集中させることができ、それによって、芯線７１と電線接続部２０との接続をより強固にできる。なお、押圧凸状部３４Ａの形状は図１４等に示されたものに限られず、また、押圧凸状部３４Ａは押圧部３４に設けられなくてもよい。すなわち、押圧部３４の形状は任意である。
【００３７】
また、カバー部３０は、詳しくは、カバー部３０の各側壁部（３２Ａ、３２Ｂ）は、各押圧凸状部３４Ａが芯線７１を湾曲させる際における押圧凸状部３４Ａの変形を規制する変形規制部３５を有する。変形規制部３５は、図６に示されるように、各側壁部（３２Ａ、３２Ｂ）を打ち抜き折り曲げ加工することによって形成され、板状の形状を有する（図７参照）。この変形規制部３５によって、押圧凸状部３４Ａが芯線７１を湾曲させる際における押圧凸状部３４Ａの変形を抑制することができる。それによって、押圧凸状部３４Ａによる芯線７１の押圧動作を確実に行うことができる。なお、変形規制部３５の形状は板状に限られず、また、変形規制部３５は設けられなくてもよい。
【００３８】
また、カバー部３０には、詳細には、カバー部３０の天井部３１には、図６に示されるように、電線接続部２０のチェック部２３を露出させるための窓部３１Ａが形成されている。
【００３９】
２．コネクタ端子の組付け方法
次に、図８から図１４を参照して、コネクタ端子５のコネクタ１００への組付け方法について概略的に説明する。ここで、コネクタ１００は、図１１に示されるように、コネクタ端子５、コネクタ端子５が挿入されるコネクタハウジング５０、およびリアホルダ６０を含む。なお、コネクタ１００は、その他、リテーナおよびアウターハウジング等を含むが、図示および説明は省略する。
【００４０】
まず、図８および図９に示されるように、端子本体部１０にカバー部３０が載置されただけの係合されていないコネクタ端子５を、コネクタハウジング５０のコネクタ端子挿入部５２に挿入する。その際、コネクタ端子５の係止突起２８Ｂを、コネクタハウジング５０の留め開口部５１に係合してコネクタ端子５をコネクタハウジング５０に係止する。この状態でのコネクタハウジング５０とコネクタ端子５との関係を示す断面図が、図１０に示されている。
【００４１】
なお、コネクタハウジング５０は、図８および図９に示されるように、上下段の、複数の相手側コネクタ端子挿入口５３を有し、各相手側コネクタ端子挿入口５３に対応したコネクタ端子挿入部５２を有する。しかしながら、図８および図９には、説明の便宜上、一個のコネクタ端子５がコネクタ端子挿入部５２に挿入された例が示されている。以下においても同様である。
【００４２】
次に、図１１および図１２に示されるように、コネクタ端子５が挿入されたコネクタハウジング５０にリアホルダ６０を装着する。以上で、コネクタ端子５のコネクタ１００への組付けが終了する。
【００４３】
さらに、図１３に示されるように、リアホルダ６０の電線挿入口６１および電線挿入孔６２を介して、電線７０がコネクタ端子５の端子本体部１０の所定位置まで挿入される。その際、図１３に示されるように、リアホルダ６０の電線挿入孔６２が電線挿入口６１に向けてテーパ状に広がる形状に形成されているため、電線７０を、リアホルダ６０を介してコネクタ端子５に挿入する作業が容易となる。
【００４４】
次いで、カバー部３０を上部から押圧して、カバー部３０の係合部３３を端子本体部１０の係止部（２４、２５）と係合させると、図１４に示されるように、押圧凸状部３４Ａが芯線７１を変形（湾曲）させて、芯線７１を電線接続部２０の隆起部２１Ａに押圧させる。それによって、芯線７１がコネクタ端子５の電線接続部２０に電気的に接続される。
【００４５】
３．実施形態の効果
本実施形態におけるコネクタ端子５のカバー部３０の押圧部３４（詳しくは押圧凸状部３４Ａ）は、カバー部３０の係合部３３が端子本体部１０の係止部（２４、２５）に係合した状態において、電線の芯線７１を電線接続部２０との間に挟み込み押圧する。その際、電線の芯線７１は押圧部３４によって電線接続部２０に押圧され、それによって、電線の芯線７１を電線接続部２０に電気的に接続させることができる。そのため、単にカバー部３０を電線接続部２０に取付けることによって、電線の芯線７１をコネクタ端子５に電気的に接続させることができる。それによって、電線７０をコネクタ端子５に接続する接続作業をより簡易化できる。
【００４６】
その際、芯線７１は、押圧部３４と電線接続部２０の底部２１との間に挟み込まれ、押圧される。そのため、芯線７１を押圧して電線接続部２０に接続する作業が、カバー部３０を電線接続部２０に上方から装着する作業によって、容易に行える。
【００４７】
また、電線接続部２０の一対の壁部（２２Ａ、２２Ｂ）は、それぞれ、カバー部３０が電線接続部２０に装着される際に芯線７１を保持する保持部２６を有する。そのため、カバー部３０が電線接続部２０に装着され芯線７１が電線接続部２０に押圧される際に、保持部２６によって芯線７１が保持される。それによって、押圧作業が安定化される。
【００４８】
また、コネクタ１００は、電線７０を接続する接続作業をより簡易化できる上記コネクタ端子５を備える。それによって、コネクタ１００の製造作業が簡易化にされる。
【００４９】
＜他の実施形態＞
本発明は上記記述及び図面によって説明した実施形態に限定されるものではなく、例えば次のような実施形態も本発明の技術的範囲に含まれる。
【００５０】
（１）上記実施形態においては、図１４等に示されるように、コネクタ端子５には電線７０の芯線７１のみが配置される例を示したが、これに限られない。図１５に示されるように、電線接続部２０およびカバー部３０の少なくとも一方は、電線７０の被覆部７２を挟持する挟持部３６を有するように構成してもよい。この場合、電線７０を、被覆部７２を含めて、カバー部３０が装着された電線接続部２０に配置することができる。なお、図１５には、カバー部が挟持部３６を有する例が示される。
【符号の説明】
【００５１】
５…コネクタ端子
１０…端子本体部
２０…電線接続部
２１…底部
２１Ａ…隆起部
２２Ａ、２２Ｂ…壁部
２３…チェック部
２４…係止部
２５…係止部
２６…保持部
２６Ａ…保持部の角部
２８…端子接続部
２９…開口部
３０…カバー部
３１Ａ…窓部
３３…係合部
３４…押圧部
３４Ａ…押圧凸状部
３５…変形規制部
３６…挟持部
５０…コネクタハウジング
６０…リアホルダ
７０…電線
７１…芯線
７１Ａ…芯線の凸部
７２…被覆部
１００…コネクタ
【図１】
2019079674.tif 000003
【図２】
2019079674.tif 000004
【図３】
2019079674.tif 000005
【図４】
2019079674.tif 000006
【図５】
2019079674.tif 000007
【図６】
2019079674.tif 000008
【図７】
2019079674.tif 000009
【図８】
2019079674.tif 000010
【図９】
2019079674.tif 000011
【図１０】
2019079674.tif 000012
【図１１】
2019079674.tif 000013
【図１２】
2019079674.tif 000014
【図１３】
2019079674.tif 000015
【図１４】
2019079674.tif 000016
【図１５】
2019079674.tif 000017
【手続補正書】
【提出日】平成30年9月5日(2018.9.5)
【手続補正１】
【補正対象書類名】図面
【補正対象項目名】図１０
【補正方法】変更
【補正の内容】
【図１０】
2019079674.tif 000018
【手続補正２】
【補正対象書類名】図面
【補正対象項目名】図１３
【補正方法】変更
【補正の内容】
【図１３】
2019079674.tif 000019